(57)【特許請求の範囲】
【請求項１】
水平面に対して傾斜した状態で配置される熱交換器（１２）と、前記熱交換器（１２）から滴下する結露水を受けるドレンパン（１４）とを備えた空調室内機であって、
前記熱交換器（１２）は、
水平面に対して４５°以上、６５°以下の範囲内で傾斜する下面（１２ａｃ）及び上面（１２ａｄ）が設けられている第１熱交換部（１２ａ）と、
水平面に対して前記下面（１２ａｃ）よりも小さい角度で傾斜する第２下面（１２ｂｃ）が設けられている第２熱交換部（１２ｂ）と、
を有し、
前記第１熱交換部（１２ａ）は、下端面（１２ａａ）を前記第２熱交換部（１２ｂ）の上端面（１２ｂｂ）に近接させた状態で配置され、
さらに、前記第１熱交換部（１２ａ）では、前記下面（１２ａｃ）と前記上面（１２ａｄ）との角度が前記下端面（１２ａａ）に向かって広がるように、水平面に対する前記下面（１２ａｃ）の傾斜角度が前記上面（１２ａｄ）の傾斜角度より大きくなるように設定されており、
前記ドレンパン（１４）は、前記第１熱交換部（１２ａ）の前記下端面（１２ａａ）の下方、及び前記第２熱交換部（１２ｂ）の下方に配置され、前記第１熱交換部（１２ａ）の前記下面（１２ａｃ）の下方には配置されない、
空調室内機（２）。
【請求項２】
前記第１熱交換部（１２ａ）の前記下端面（１２ａａ）の上辺が、前記第２熱交換部（１２ｂ）の前記上端面（１２ｂｂ）の上辺より下方に位置する、
請求項１に記載の空調室内機（２）。
【発明の詳細な説明】
【技術分野】
【０００１】
本発明は、空調室内機に関する。
【背景技術】
【０００２】
単一の吸込口から空気を吸い込んで単一の吹出口へ空気を吹き出す空調室内機において、熱交換器の十分な熱交換量を確保し、且つ空調室内機の大型化を抑制するために、熱交換器を傾斜させて配置することが一般的である（例えば、特許文献１及び特許文献２参照）。特許文献１及び特許文献２に開示されている空調室内機では、熱交換器の下端面の下方にドレンパンが配置され、熱交換器の吸込空気と対向する面の下方にはサブドレンパンが配置されている。サブドレンパンは、熱交換器の表面で発生した結露水のうち、熱交換器の下端面に到達するまでに落下する結露水を受け、結露水が吸込口など他の領域へ飛散することを防止している。
【０００３】
しかしながら、上記のような空調室内機では、吸込空気の一部がサブドレンパンに遮られるので、熱交換器と熱交換する時間当たり空気量が減少し、十分な熱交換が行われない可能性がある。
【特許文献１】特開平１０−２０５７９６号公報
【特許文献２】特開平１１−１０１４５９号公報
【発明の開示】
【発明が解決しようとする課題】
【０００４】
本発明の課題は、サブドレンパンを必要としない空調室内機を提供することにある。
【課題を解決するための手段】
【０００５】
第１発明に係る空調室内機は、熱交換器とドレンパンとを備えている。熱交換器は、水平面に対して傾斜した状態で配置される。ドレンパンは、熱交換器から滴下する結露水を受ける。熱交換器は、水平面に対して４５°以上、６５°以下の範囲内で傾斜する下面および上面が設けられている第１熱交換部と、水平面に対して下面よりも小さい角度で傾斜する第２下面が設けられている第２熱交換部とを有している。第１熱交換部は、下端面を第２熱交換部の上端面に近接させた状態で配置されている、さらに、第１熱交換部では、下面と上面との角度が下端面に向かって広がるように、水平面に対する下面の傾斜角度が上面の傾斜角度より大きくなるように設定されている。ドレンパンは、第１熱交換部の下端面の下方、及び第２熱交換部の下方に配置され、第１熱交換部の下面の下方には配置されない。
【０００６】
この空調室内機では、第１熱交換部の下面は、水平面に対して所定角度で傾斜しているので、第１熱交換部の表面に発生した結露水は、第１熱交換部の下面を伝いながら下端面に向って流れ、その下端面に到達した結露水は、ドレンパンへ落下する。したがって、第１熱交換部の下面の下方には、ドレンパンが不要となり、省スペースで、熱交換器へ向う吸込空気が遮られることはない。
【０００７】
第２発明に係る空調室内機は、第１発明に係る空調室内機であって、第１熱交換部の下端面の上辺が、第２熱交換部の上端面の上辺より下方に位置している。
【０００８】
この空調室内機では、水平面に対する第１熱交換部の傾斜角度が大きくなることによって、第１熱交換部の上端面の位置が高くなるので、第１熱交換部の下端面の上辺を、第２熱交換部の上端面の上辺より下方に位置させることによって、その高くなった分量を吸収させる。その結果、本体の高さ寸法の増加を抑制することができる。
【発明の効果】
【０００９】
第１発明に係る空調室内機では、第１熱交換部の下面の下方には、ドレンパンが不要となり、省スペースで、熱交換器へ向う吸込空気が遮られることがなく、必要な熱交換量が確保される。
【００１０】
第２発明に係る空調室内機では、本体の高さ寸法の増加を抑制することができる。
【発明を実施するための最良の形態】
【００１１】
以下図面を参照しながら、本発明の実施形態について説明する。なお、以下の実施形態は、本発明の具体例であって、本発明の技術的範囲を限定するものではない。
【００１２】
＜空調室内機２の構成＞
図１は本発明の一実施形態に係る空調室内機の外観斜視図である。図１において、空調室内機２は、下面に吸込口２０ａ及び吹出口２０ｂを有する本体２０と、吸込口２０ａを開閉する可動パネル２４と、吹出口２０ｂを開閉する第１風向調節羽根５２とを備えている。吸込口２０ａと吹出口２０ｂとは一定距離を隔てて隣接しており、吹出口２０ｂから吹き出された空気が吸込口２０ａに吸い込まれる現象、いわゆるショートサーキットが発生しないようになっている。本体２０の下面は、化粧パネル２１によって覆われており、実際に天井面に露出するのは化粧パネル２１であって、吸込口２０ａ及び吹出口２０ｂの輪郭は化粧パネル２１によって形成されている。
【００１３】
図２（ａ）は、空調室内機の運転停止時の側面図であり、（ｂ）は、その空調室内機の運転時の側面図であり、（ｃ）は、その空調室内機のメンテナンス時の側面図である。図２（ａ）において、空調室内機２が停止しているとき、可動パネル２４は化粧パネル２１と見かけ上一体化している。図２（ｂ）において、空調室内機２の運転時、可動パネル２４は吸込口２０ａを開き、第１風向調節羽根５２は吹出口２０ｂを開く。可動パネル２４の一端は蝶番によって本体２０に支持されており、可動パネル２４は回動して吸込口２０ａを開ける。
【００１４】
また、図２（ｃ）において、可動パネル２４は、本体２０側から延びるワイヤ７１に吊られた状態で使用者の手が届くメンテナンス位置まで降下することができる。但し、可動パネル２４は、一端が蝶番によって本体２０に支持されている状態ではメンテナンス位置まで降下することができないので、一旦、吸込口２０ａを閉じて、本体２０による支持が解除されたのちにメンテナンス位置まで降下する。
【００１５】
図３は、空調室内機の断面図である。図３において、空調室内機２は、フィルタ９、フィルタ清掃機構１０、室内熱交換器１２、室内ファン１３、ドレンパン１４及び吹出口モジュール５０をさらに備えている。空調室内機２の運転時、吸込口２０ａ及び吹出口２０ｂが開き、室内ファン１３が回転し、空気が吸込口２０ａから吸い込まれ、吹出口２０ｂから吹出される。
【００１６】
＜フィルタの掃除機構１０＞
空調室内機２は、可動パネル２４の上方にフィルタ清掃機構１０を備えているので、フィルタ清掃機構１０を備えていない標準空調室内機と比較して本体２０の高さ寸法が大きくなる。空調室内機２では、標準空調室内機の本体が利用されるように、標準空調室内機の本体に拡張枠２７が連結されており、拡張枠２７内に、フィルタ清掃機構１０のフィルタ収納枠１０４が配置されている。
【００１７】
（フィルタ９）
フィルタ９は、網部と網部の周囲を保持する縁部を有しており、図３に示すように室内熱交換器１２の前面側に配置され、室内から取り込まれた空気から塵埃を除去する。これにより、フィルタ９は、空気中に浮遊する塵埃が室内熱交換器１２の表面を汚染することを防止している。フィルタ９の縁部には、ピニオン歯車１０２ａと噛み合うラック１０１が形成されている。
【００１８】
（ローラー１０２）
ローラー１０２は、ピニオン歯車１０２ａを有している。ピニオン歯車１０２ａは、フィルタ９のラック１０１と噛み合い、回転することによってフィルタ９を水平に移動させる。
【００１９】
（フィルタ収納内枠１０４）
図４は、フィルタ収納枠の内部の断面図である。図４において、フィルタ駆動モータ１０４ｆの回転軸に駆動歯車１０４ｅが連結され、この駆動歯車１０４ｅに伝達歯車１０４ｄが噛み合っている。この伝達歯車１０４ｄがローラー１０２のピニオン歯車１０２ａを回転させる。フィルタ収納部は、前方収納部１０５と後方収納部１０６とから成り、前方収納部１０５及び後方収納部１０６の長さは、フィルタ９の長手方向の長さに相当する。
【００２０】
（位置検知スイッチ１０７）
図３において、フィルタ９は、フィルタ収納枠１０４内を移動し所定の位置で停止する。フィルタ９の停止位置は、位置検知スイッチ１０７によって検知される。位置検知スイッチ１０７は、前方収納部１０５の終端近傍、及び後方収納部１０６の終端近傍に配置されている。位置検知スイッチ１０７の外側には、レバーが蝶番によって装着されており、外力が加わると回動して位置検知スイッチ１０７のボタンを押す。
【００２１】
（ブラシ１０８）
図４において、ブラシ１０８の毛１０８ａは、フィルタ９を挟んでローラー１０２と反対側に位置しフィルタ９に接触している。毛１０８ａの回転軸上には、最終伝達歯車１０８ｃが連結されており、ブラシ駆動モータ１０８ｆの回転軸には駆動歯車１０８ｅが連結されている。この駆動歯車１０８ｅと中間伝達歯車１０８ｄとが噛み合い、中間伝達歯車１０８ｄと最終伝達歯車１０８ｃとが噛み合っている。
【００２２】
（ダストボックス１０９）
図３において、ダストボックス１０９は、上部に塵埃取り込み口を有しており、塵埃取り込み口には、ブラシ１０８及びブラシ１０８から塵埃をふるい落とす櫛部１０９ｃが取り付けられている。
【００２３】
図２（ｂ）に示すように、可動パネル２４が回動して吸込口２０ａを開けたとき、ダストボックス１０９は、ブラシ１０８と共にフィルタ９から離れるので、吸込空気の進路を妨害しない。また、ダストボックス１０９へ向って来る空気を滑らかにフィルタ９へ向わせるために、ダストボックス１０９の吸込空気と対向する面１０９ｄは傾斜しており、空気抵抗を低減している。
【００２４】
（フィルタ９の清掃動作）
空調室内機２では、制御部により定期的に、或いは使用者が必要とするときにリモコンによってフィルタ９が自動的に清掃される。以下、その仕組みについて説明する。
【００２５】
図４において、フィルタ９のラック１０１は、前方収納経路１０５ａに収まっており、ラック１０１の一端（以後、第１端部とよぶ）はピニオン歯車１０２ａと噛み合っている。ローラー１０２が回転するとき、ピニオン歯車１０２ａからラック１０１に回転が伝達され、フィルタ９のラック１０１は、ローラー１０２によって後方収納経路１０６ａ側へ搬送される。ローラー１０２が回転し続けることによって、ラック１０１の第１端部は後方収納経路１０６ａの終端に到達する。
【００２６】
図４において、フィルタ９が移動する際に、フィルタ９の表面に付着していた塵埃はブラシ１０８によって掻き取られる。ブラシ１０８は、少なくともフィルタ９が前方収納経路１０５ａから後方収納経路１０６ａへ移動している期間中は回転しており、その回転方向は、フィルタ９の進行方向に逆らう方向である。
【００２７】
フィルタ９が前方収納経路１０５ａから後方収納経路１０６ａへ移動し塵埃の除去が終了したとき、制御部は、ローラー１０２を逆回転させる。フィルタ９のラック１０１の第２端部は、ピニオン歯車１０２ａと噛み合っているので、ピニオン歯車１０２ａからラック１０１に回転が伝達され、フィルタ９は、ローラー１０２によって前方収納経路１０５ａ側へ搬送される。ローラー１０２が逆回転し続けることによって、ラック１０１の第２端部は前方収納経路１０５ａの終端に到達する。
【００２８】
＜可動パネル２４の動作に関連する装置＞
（昇降装置７）
図５は、昇降装置内部の部品の配置図である。図５において、昇降装置７はワイヤ７１を繰り出す、又は巻き取る装置である。昇降装置７がワイヤ７１を繰り出す場合、昇降モータ７６は駆動歯車７５をＣＣＷ方向へ回転させ、巻取り歯車７４をＣＷ方向へ回転させる。これによって、ボビン７３がワイヤ７１を繰り出す方向に回転する。
【００２９】
一方、昇降装置７がワイヤ７１を巻き取る場合、昇降モータ７６は駆動歯車７５をＣＷ方向へ回転させ、巻取り歯車７４をＣＣＷ方向へ回転させる。これによって、ボビン７３がワイヤ７１を巻き取る方向に回転する。ワイヤ７１の繰り出し量および巻き取り量は、昇降モータ７６の回転量に比例しており、制御部が、昇降モータ７６へ供給するパルス数を制御することによって、ワイヤ７１の繰り出し量および巻き取り量が制御される。
【００３０】
ワイヤ７１の先端には可動パネル２４が連結されるため、ワイヤ７１には常に張力が発生しており、ワイヤ７１が繰り出されるとき、又はワイヤ７１が巻き取られるとき、滑車部７２ａがワイヤ７１との摩擦力によって回転する。このとき、カム部７２ｂも回転するので、スイッチ７７は、レバー７７ａがカム部７２ｂの大径曲面と対峙したときにオン信号を発し、レバー７７ａが小径曲面と対峙したときにはオフ信号を発する。滑車７２が回転している間は、オン信号とオフ信号が交互に発生し、これらの信号は、すべて制御部に入力される。
【００３１】
（ヒンジ５３０）
図６は可動パネルの斜視図であり、図７は図６のＣ部の拡大図である。図６において、可動パネル２４は、ヒンジ５３０によって本体２０（図３参照）に回動可能に支持される。図７に示すように、ヒンジ５３０は、水平方向に延びる水平棒部５３１と、水平棒部５３１から垂直に延びるレバー５３２と、レバー５３２の端部から鉤状に曲がるフック５３３を有し、水平棒部５３１を上にした状態で静止している。
【００３２】
図８は、ヒンジ単品の側面図である。図８において、ヒンジ５３０は、可動パネル２４の回動中心となる回動軸部５３４をさらに有している。ヒンジ５３０は、可動パネル２４内のバネによってＤ方向へ倒れるようにバネ力が作用している。
【００３３】
（可動パネルの開閉動作）
図９（ａ）は本体下部の断面図であり、（ｂ）は可動パネルが吸込口を開ける直前の本体下部の部分断面図であり、（ｃ）は可動パネルが吸込口を開けた直後の本体下部の部分断面図である。図９（ａ）において、ヒンジ５３０の水平棒部５３１の下方空間には、水平棒部５３１を受けるヒンジ受７６１と、フック５３３（図８参照）と接触する突起部７６３が本体２０側から突出している。可動パネル２４が、吸込口２０ａを閉じているときは、フック５３３が突起部７６３と接触するので、水平棒部５３１は、回動軸部５３４を中心に時計方向へ回動した状態で静止している。このとき、水平棒部５３１とヒンジ受７６１とは未だ接触していない。
【００３４】
図９（ｂ）において、可動パネル２４が降下したとき、水平棒部５３１は、ヒンジ受７６１に引っ掛かり停止する。可動パネル２４が継続して降下すると、水平棒部５３１は、ヒンジ受７６１で拘束されているので、可動パネル２４とヒンジ５３０とが離れようとする。しかし、可動パネル２４とヒンジ５３０とは、回動軸部５３４で連結されているので、図９（ｃ）に示すように、可動パネル２４が回動軸部５３４を中心に回動する。
【００３５】
一方、可動パネル２４が吸込口２０ａを閉じるときの動作は、吸込口２０ａを開けるときの動作と逆であり、可動パネル２４を上昇させることによって、図９（ａ）の状態から（ｂ）の状態を経て（ｃ）の状態となる。
【００３６】
（可動パネルの昇降動作）
図１０（ａ）は本体下部の断面図であり、（ｂ）は可動パネルが降下を開始した直後の本体下部の部分断面図であり、（ｃ）は、可動パネルが降下したときの本体下部の部分断面図である。図１０（ａ）において、ヒンジ５３０の水平棒部５３１の下方空間には、水平棒部５３１を受けるヒンジ受７６１と、フック５３３（図８参照）と接触する突起部７６３が本体２０側から突出している。可動パネル２４が、吸込口２０ａを閉じているときは、フック５３３が突起部７６３と接触するので、水平棒部５３１は、回動軸部５３４を中心に時計方向へ回動した状態で静止している。このとき、水平棒部５３１とヒンジ受７６１とは未だ接触していない。
【００３７】
図１０（ｂ）（ｃ）において、ヒンジ受７６１は、図示しない他の部材に押されて、ヒンジ５３０の降下軌道上から外れており、ヒンジ５３０が降下したとき、水平棒部５３１の両端がヒンジ受７６１に保持されず、可動パネル２４は回動することなく降下することができる。
【００３８】
一方、可動パネル２４が吸込口２０ａを閉じるときの動作は、吸込口２０ａを開けるときの動作と逆であり、可動パネル２４を上昇させることによって、図１０（ａ）の状態から（ｂ）の状態を経て（ｃ）の状態となる。
【００３９】
＜熱交換に関連する装置＞
（室内熱交換器１２）
図３において、室内熱交換器１２は、２つの熱交換器が異なる傾斜姿勢で隣接する形状をしており、上側の熱交換器を上部熱交換器１２ａ、下側の熱交換器を下部熱交換器１２ｂと呼ぶ。上部熱交換器１２ａの上端面１２ａｂは、本体２０の内側上部に位置し、上端面１２ａｂと下端面１２ａａとを結ぶ上面１２ａｄ及び下面１２ａｃの傾斜角度は、水平線に対して４５°以上６０°以下に設定されている。なお、本実施形態では、上部熱交換器１２ａの上面１２ａｄ及び下面１２ａｃは、水平線に対して５５°傾斜している。
【００４０】
上部熱交換器１２ａで発生した結露水は、上部熱交換器１２ａの表面を伝って降下する。降下する結露水の大部分は、下面１２ａｃに到達するが、表面張力によって下面１２ａｃから離れることはない。下面１２ａｃは傾斜しているので、下面１２ａｃに到達した結露水は、下面１２ａｃに沿って降下し下端面１２ａａに到達する。下端面１２ａａに到達した結露水は、降下時の勢いでそのままドレンパン１４へ落下するものもあれば、先に下端面１２ａａに到達して落下できないでいる結露水と結合し重力を増してからドレンパン１４へ落下するものもある。
【００４１】
以上のように、上部熱交換器１２ａ表面で発生した結露水は、必ず下端面１２ａａまで降下してくるので、ドレンパン１４は、上部熱交換器１２ａの下面１２ａｃの下方に配置される必要が無く、上部熱交換器１２ａの下端面１２ａａの下方に配置されればよい。
【００４２】
下部熱交換器１２ｂの上端面１２ｂｂは、上部熱交換器１２ａの下端面１２ａａに近接して配置されており、上端面１２ｂｂと下端面１２ｂａとを結ぶ上面１２ｂｄ及び下面１２ｂｃの傾斜角度は、水平線に対して４５°未満である。このため、結露水が下面１２ｂｃから直接落下する可能性があるので、ドレンパン１４は、下部熱交換器１２ｂの下面１２ｂｃの下方に配置されている。
【００４３】
上部熱交換器１２ａの寸法は、下部熱交換器１２ｂより長く、水平面に対する上部熱交換器１２ａの傾斜角度も大きくなることによって、上部熱交換器１２ａの上端面１２ａｂの位置が高くなる。しかし、上部熱交換器１２ａの下端面１２ａａの上辺は、下部熱交換器１２ｂの上端面１２ｂｂの上辺より下方に位置しているので、その高くなった分量の一部が吸収される。その結果、本体の高さ寸法の増加が抑制されている。
【００４４】
（室内ファン１３）
室内ファン１３は、クロスフローファンであり、幅寸法が直径よりも長く、回転軸と垂直な方向から空気を吸い込むので、単一の吸込口２０ａから空気を吸い込んで、単一の吹出口２０ｂへ吹き出すことができる。吸い込まれた空気は、フィルタ９及び室内熱交換器１２を通過して室内ファン１３に入る。
【００４５】
室内ファン１３から吹き出された空気は、吹出口モジュール５０を通過して吹出口２０ｂから吹き出される。吹出口２０ｂには、吹出口モジュール５０の構成部品である第１風向調節羽根５２が配置されており、第１風向調節羽根５２は、モータによって傾斜角度の調節が可能であり、運転停止時は、第１風向調節羽根５２が吹出口２０ｂを閉じる。
【００４６】
また、第１風向調節羽根５２の上流には、第２風向調節羽根５３が位置し、モータによって吹出口２０ｂの長手方向と直行する軸を中心に遥動するので、吹出口２０ｂから吹出される空気の方向は適切に調整される。
【００４７】
＜特徴＞
（１）
空調室内機２では、室内熱交換器１２が、上部熱交換器１２ａと下部熱交換器１２ｂとを有しており、上部熱交換器１２ａは、水平面に対して５５°の角度で傾斜している。上部熱交換器１２ａの表面に発生した結露水は、上部熱交換器１２ａの表面を伝いながら下端面１２ａａに向って流れ、その下端面１２ａａに到達した結露水は、ドレンパン１４へ落下する。したがって、上部熱交換器１２ａの下端面１２ａａ以外の領域の下方には、ドレンパン１４が不要となり、室内熱交換器１２へ向う吸込空気が遮られることがなく、必要な熱交換量が確保される。なお、上部熱交換器１２ａの傾斜角度は、４５°以上、６５°以下であればよい。
【００４８】
（２）
空調室内機２では、上部熱交換器１２ａの傾斜によって第１熱交換部の上端面１２ａｂの位置が高くなるので、第１熱交換部の下端面１２ａａの上辺を下部熱交換器１２ｂの上端面１２ｂｂの上辺より下方に位置させることによって、その高くなった分量を吸収させ、本体の高さ寸法の増加を抑制している。
【００４９】
＜第１変形例＞
上記実施形態では、上部熱交換器１２ａの上面１２ａｄと下面１２ａｃとが平行であるが、水平面に対する下面１２ａｃの傾斜角度が上面１２ａｄの傾斜角度より大きくなるように設定してもよい。
【００５０】
図１１は、第１変形例に係る空調室内機の室内熱交換器及びドレンパンの側面図である。図１１において、上部熱交換器１２ａは、正規位置に配置されたとき、水平面に対する下面１２ａｃの傾斜角度は、水平面に対する上面１２ａｄの傾斜角度よりもαだけ大きくなるように設定されている。なお、αは正の値である。
【００５１】
例えば、上部熱交換器１２ａを傾けるための空間が十分に確保できず、水平面に対する上面ａｄの傾斜角度が４０°であるとき、水平面に対する下面ａｃの傾斜角度は４５°となるように設定される。実際、結露水が確実に下端面１２ａａまで降下するには、下面１２ａｃの傾斜角度は４５°以上必要であり、上面１２ａｄ及び下面１２ａｃの傾斜角度が共に４０°では、結露水は下端面１２ａａに到達するまえに落下する。しかし、下面１２ａｃの傾斜角度を上面１２ａｄより５°だけ大きくすることによって、結露水が下面１２ａｃに沿って下端面１２ａａまで降下するようになる。
【００５２】
但し、下面１２ａｃの傾斜角度が上面１２ａｄより大きくなった影響で、下端面１２ａａの下辺がドレンパン１４から外れる可能性があるので、下端面１２ａａの下辺に、ドレンパン１４に向って突出する突出部１２ａｅを設けることが好ましい。
【００５３】
＜第２変形例＞
上記実施形態および第１変形例では、上部熱交換器１２ａ自体を傾けることによって傾斜部が形成されるが、予め必要な角度だけ傾斜した傾斜部を上部熱交換器１２ａに設けて、上部熱交換器１２ａを水平に配置するようにしてもよい。図１２は、第２変形例に係る空調室内機の室内熱交換器及びドレンパンの側面図である。図１２において、上部熱交換器１２ａは、上端面１２ａｂを水平に配置したとき、又は上面１２ａｄを垂直に配置したとき、下面１２ａｃが水平面に対して４５°以上６０°以下の角度（好ましくは５５°の角度）で傾斜するように設定されている。上端面１２ａｂ（又は上面１２ａｄ）を基準面として、その基準面を水平（又は垂直）にするだけでよいので、上部熱交換器１２ａが配置された後の傾斜部の角度が安定する。
【産業上の利用可能性】
【００５４】
本発明によれば、ドレンパンを熱交換器の傾斜部の下方に配置する必要がないので、ドレンパンが空気流の妨げにならない。したがって、本発明は、熱交換器の一部を傾斜させて配置する空調室内機に有用である。
【図面の簡単な説明】
【００５５】
【図１】本発明の一実施形態に係る空調室内機の外観斜視図。
【図２】（ａ）空調室内機の運転停止時の側面図。（ｂ）空調室内機の運転時の側面図。（ｃ）メンテナンス時の側面図。
【図３】空調室内機の断面図。
【図４】フィルタ収納枠の内部の断面図。
【図５】昇降装置内部の部品の配置図。
【図６】可動パネルの斜視図。
【図７】図６のＣ部の拡大図。
【図８】ヒンジ単品の側面図。
【図９】（ａ）本体下部の断面図。（ｂ）可動パネルが吸込口を開ける直前の本体下部の部分断面図。（ｃ）可動パネルが吸込口を開けた直後の本体下部の部分断面図。
【図１０】（ａ）本体下部の断面図。（ｂ）可動パネルが降下を開始した直後の本体下部の部分断面図。（ｃ）可動パネルが降下したときの本体下部の部分断面図。
【図１１】第１変形例に係る空調室内機の室内熱交換器及びドレンパンの側面図。
【図１２】第２変形例に係る空調室内機の室内熱交換器及びドレンパンの側面図。
【符号の説明】
【００５６】
２  空調室内機
１２  熱交換器
１２ａ  第１熱交換部
１２ｂ  第２熱交換部
１２ａａ  下端面
１２ａｃ  傾斜部
１２ｂｂ  上端面
【図１】
0004821807.tif 000002
【図２】
0004821807.tif 000003
【図３】
0004821807.tif 000004
【図４】
0004821807.tif 000005
【図５】
0004821807.tif 000006
【図６】
0004821807.tif 000007
【図７】
0004821807.tif 000008
【図８】
0004821807.tif 000009
【図９】
0004821807.tif 000010
【図１０】
0004821807.tif 000011
【図１１】
0004821807.tif 000012
【図１２】
0004821807.tif 000013